(57)【要約】【課題】小売業に関する処理において操作手順を省いて容易に入力を行うことができ、設置場所を取ることなく、容易に持ち運ぶことができ、延いては情報システムを有効に活用させることができる可搬型店舗電子盤を提供することである。【解決手段】上記の問題点を解決するために、小売業を営む店舗に設置され、小売業に関する情報システムでの複数の処理を行う可搬型店舗電子盤であって、上記複数の処理過程が表示される表示画面に設けられ、上記複数の処理のそれぞれに対応した処理を１回の押下で起動する起動ボタンと、上記複数の処理での入力を簡易に行う入力部と、上記小売業に関する情報を出力する出力ボタンとが設けられた入出力部とを有する構成とされる。【選択図】        図５
2004227415.tif 000002
【特許請求の範囲】
【請求項１】
小売業を営む店舗に設置され、小売業に関する情報システムでの複数の処理を行う可搬型店舗電子盤であって、
上記複数の処理過程が表示される表示画面に設けられ、上記複数の処理のそれぞれに対応した処理を１回の押下で起動する起動ボタンと、
上記複数の処理での入力を簡易に行う入力部と、上記小売業に関する情報を出力する出力ボタンとが設けられた入出力部とを有することを特徴とする可搬型店舗電子盤。
【請求項２】
上記入出力部は、上記小売業で使用頻度の高い所定の表記形式を一回で入力する表記形式ボタンを有することを特徴とする請求項１記載の可搬型店舗電子盤。
【請求項３】
上記表記形式は、表記形式「円」及び「￥」であることを特徴とする請求項２記載の可搬型店舗電子盤。
【請求項４】
上記入出力部は、上記入力部で入力される表記形式を変換する変換ボタンを有することを特徴とする請求項１乃至３いずれか一項記載の可搬型店舗電子盤。
【請求項５】
上記変換ボタンは、演算機能に変換する演算ボタンと、ローマ字入力に変換するローマ字ボタンと、入力した文字を漢字に変換する漢字変換ボタンと、カタカナ入力に変換するカタカナ変換ボタンとを有することを特徴とする請求項４記載の可搬型店舗電子盤。
【請求項６】
上記出力ボタンは、上記小売業で使用する領収書を出力する領収書ボタンと、商品の納品に関する納品書を出力する納品書ボタンと、商品の代価を請求する請求書を出力する請求書ボタンとを有することを特徴とする請求項１乃至５いずれか一項記載の記載の可搬型店舗電子盤。
【請求項７】
上記出力ボタンの選択により上記小売業に関する情報を所定の媒体に出力する出力手段が接続されたことを特徴とする請求項１乃至６いずれか一項記載の記載の可搬型店舗電子盤。
【請求項８】
上記情報システムを利用する顧客の所有する携帯電話から上記顧客の個人情報を読み取る読取装置が接続されたことを特徴とする請求項１乃至７いずれか一項記載の可搬型店舗電子盤。
【請求項９】
上記起動ボタンは、上記情報システムを利用する顧客の個人情報を管理する顧客管理ボタンと、上記顧客が商品購入の際にポイントを発行及び参照するポイントボタンと、上記顧客にサービスを提供するためのクーポンを発行するクーポンボタンと、商品の仕入れに関する情報を取得する仕入れボタンとを有することを特徴とする請求項１乃至８いずれか一項記載の可搬型店舗電子盤。
【請求項１０】
上記起動ボタンは、対応する処理の設定を変更する設定ボタンを有することを特徴とする請求項１乃至９いずれか一項記載の可搬型店舗電子盤。
【請求項１１】
上記起動ボタンが選択されたとき、ネットワークを介して上記複数の処理に対応する情報を情報システム支援サーバーに要求する要求手段と、
上記複数の処理に対応する情報を上記情報システム支援サーバーから取得する取得手段とを有することを特徴とする請求項１乃至１０いずれか一項記載の可搬型店舗電子盤。
【請求項１２】
上記入出力部は、インターネットへの接続を行うインターネットボタンを有することを特徴とする請求項１乃至１１いずれか一項記載の可搬型店舗電子盤。
【請求項１３】
上記可搬型店舗電子盤は、薄型のパームトップ型であることを特徴とする請求項１乃至１２いずれか一項記載の可搬型店舗電子盤。
【発明の詳細な説明】
【０００１】
【発明の属する技術分野】
本発明は可搬型店舗電子盤に係り、特に、小売業を営む店舗内に設置され、インターネットを介して小売業に関する処理を行うことができると共に、持ち運びが可能であると共に、入力操作を容易に行うことができる可搬型店舗電子盤に関する。
【０００２】
【従来の技術】
現在、多種多様な商品を小売りする小売業を営む店舗の多くは、中小の零細企業である。それらの店舗は、商品を陳列するスペースが少なく、品揃えに限界がある。また、その店舗が系列チェーン店の場合、限られた製造業者（メーカー）の商品しか扱うことができず、大量仕入れを行う量販店に価格競争で勝つことができないという問題点を抱えている。しかしながら、各店舗では、顧客にとってそれらの店舗で消費することに付加価値があり、量販店では見られない特化した営業形態を採用するなど、大量仕入れを行う量販店に対抗している。
【０００３】
例えば、インターネットを介して顧客に各店舗の情報を取得可能にし、インターネットを利用して在庫を持つことなく多種多様な商品を揃えて小売業を行うなど、インターネットを利用した情報システムが活用されつつある。このような情報システムを利用することによって、ＰＣ（パーソナルコンピュータ）１台の設置で取り扱い商品が飛躍的に増加する、即ち、店舗の売り場面積を広げることなく、大量の商品を扱い、また、在庫を持つ必要がなくなるなどの利点がある。
【０００４】
このような情報システムにおいて、従来、インターネットを利用して小売業の活性化を図ることを目的として、顧客の生活環境に適応した商品情報を提供すると共に、顧客が所望する商品仕様に基づいた商品の提供を行うネット店舗システムがある（例えば、特許文献１参照）。
【０００５】
【特許文献１】
特開２００２−１５１５２号公報
【０００６】
【発明が解決しようとする課題】
しかしながら、上記店舗の小売業者が情報システムを利用する際、その小売業者が普段からＰＣでインターネットなどを利用していないと、ＰＣのキーボードを使いこなせない場合が多い。特に、上記情報システムなどで小売業に関する処理をＰＣのキーボードから入力を行う場合、所定の処理がどのキーと対応しているのか解り難く、また、処理の手順が多く、操作が非常に困難となっていた。従って、小売業者のストレスにもなり、上記情報システムの使用が疎遠となってしまうという問題点があった。
【０００７】
また、従来のディスクトップ型やディスクサイド型の大型のＰＣを用いた場合、店舗のレジスターの側等に設置するには、場所を取ってしまうと共に、持ち運びに不便となってしまうという問題点があった。
【０００８】
そこで、本発明の課題は、小売業に関する処理において操作手順を省いて容易に入力を行うことができ、設置場所を取ることなく、容易に持ち運ぶことができ、延いては情報システムを有効に活用させることができる可搬型店舗電子盤を提供することである。
【０００９】
【課題を解決するための手段】
上記の課題を解決するため、本発明は、請求項１に記載されるように、小売業を営む店舗に設置され、小売業に関する情報システムでの複数の処理を行う可搬型店舗電子盤であって、上記複数の処理過程が表示される表示画面に設けられ、上記複数の処理のそれぞれに対応した処理を１回の押下で起動する起動ボタンと、上記複数の処理での入力を簡易に行う入力部と、上記小売業に関する情報を出力する出力ボタンとが設けられた入出力部とを有する構成とされる。
【００１０】
このような可搬型店舗電子盤では、複数の処理過程が表示される表示画面に複数の処理のそれぞれに対応した処理を１回の押下で起動する起動ボタンと、複数の処理での入力を簡易に行う入力部と、小売業に関する情報を出力する出力ボタンとが設けられた入出力部とを有することにより、小売業に関する処理において操作手順を省いて容易に入力を行うことができ、延いては情報システムを有効に活用させることができる。
【００１１】
また、上記の課題を解決するため、本発明は、請求項２に記載されるように、上記入出力部は、上記小売業で使用頻度の高い所定の表記形式を一回で入力する表記形式ボタンを有する構成としてもよい。
【００１２】
このような可搬型店舗電子盤では、入出力部の表記形式ボタンにより小売業で使用頻度の高い所定の表記形式を一回で入力することができ、入力操作の手順を省略することができ、容易に入力操作を行うことができる。
【００１３】
また、上記の課題を解決するため、本発明は、請求項３に記載されるように、上記表記形式は、表記形式「円」及び「￥」である構成としてもよい。
【００１４】
このような可搬型店舗電子盤では、表記形式「円」、「￥」のボタンを一回押すだけで、入力変換などを行うことなく「円」及び「￥」を入力することができる。
【００１５】
また、上記の課題を解決するため、本発明は、請求項４に記載されるように、上記入出力部は、上記入力部で入力される表記形式を変換する変換ボタンを有する構成としてもよい。
【００１６】
このような可搬型店舗電子盤では、入出力部に入力部で入力される表記形式を変換する変換ボタンを有することにより、容易に入力操作を行うことができる。
【００１７】
また、上記の課題を解決するため、本発明は、請求項５に記載されるように、上記変換ボタンは、演算機能に変換する演算ボタンと、ローマ字入力に変換するローマ字ボタンと、入力した文字を漢字に変換する漢字変換ボタンと、カタカナ入力に変換するカタカナ変換ボタンとを有する構成としてもよい。
【００１８】
このような可搬型店舗電子盤では、変換ボタンが演算機能に変換する演算ボタンと、ローマ字入力に変換するローマ字ボタンと、入力した文字を漢字に変換する漢字変換ボタンと、カタカナ入力に変換するカタカナ変換ボタンことにより、入力変換の手順を省き、容易に入力操作を行うことができる。
【００１９】
また、上記の課題を解決するため、本発明は、請求項６に記載されるように、上記出力ボタンは、上記小売業で使用する領収書を出力する領収書ボタンと、商品の納品に関する納品書を出力する納品書ボタンと、商品の代価を請求する請求書を出力する請求書ボタンとを有する構成としてもよい。
【００２０】
このような可搬型店舗電子盤では、出力ボタンが小売業で使用する領収書を出力する領収書ボタンと、商品の納品に関する納品書を出力する納品書ボタンと、商品の代価を請求する請求書を出力する請求書ボタンとを有することにより、小売業に関する処理を効率的に行うことができる。
【００２１】
また、上記の課題を解決するため、本発明は、請求項７に記載されるように、上記出力ボタンの選択により上記小売業に関する情報を所定の媒体に出力する出力手段が接続された構成としてもよい。
【００２２】
このような可搬型店舗電子盤では、出力手段により出力ボタンの選択により上記小売業に関する情報を所定の媒体に出力することにより、手持ちの出力手段を用いることができ、小売業に関する処理を効率的に行うことができる。
【００２３】
また、上記の課題を解決するため、本発明は、請求項８に記載されるように、上記情報システムを利用する顧客の所有する携帯電話から上記顧客の個人情報を読み取る読取装置が接続された構成としてもよい。
【００２４】
このような可搬型店舗電子盤では、読取装置により情報システムを利用する顧客の所有する携帯電話から顧客の個人情報を読み取ることにより、小売業に関する情報システムでの処理を効率的に行うことができる。
【００２５】
また、上記の課題を解決するため、本発明は、請求項９に記載されるように、上記起動ボタンは、上記情報システムを利用する顧客の個人情報を管理する顧客管理ボタンと、上記顧客が商品購入の際にポイントを発行及び参照するポイントボタンと、上記顧客にサービスを提供するためのクーポンを発行するクーポンボタンと、商品の仕入れに関する情報を取得する仕入れボタンとを有する構成としてもよい。
【００２６】
このような可搬型店舗電子盤では、起動ボタンが情報システムを利用する顧客の個人情報を管理する顧客管理ボタンと、顧客が商品購入の際にポイントを発行及び参照するポイントボタンと、顧客にサービスを提供するためのクーポンを発行するクーポンボタンと、商品の仕入れに関する情報を取得する仕入れボタンとを有することにより、小売業に関する処理において操作手順を省いて容易に入力を行うことができる。
【００２７】
また、上記の課題を解決するため、本発明は、請求項１０に記載されるように、上記起動ボタンは、対応する処理の設定を変更する設定ボタンを有する構成としてもよい。
【００２８】
このような可搬型店舗電子盤では、起動ボタンは、対応する処理の設定を変更する設定ボタンを有することにより、簡単な入力操作で小売業に関する情報システムでの処理を効率的に行うことができる。
【００２９】
また、上記の課題を解決するため、本発明は、請求項１１に記載されるように、上記起動ボタンが選択されたとき、ネットワークを介して上記複数の処理に対応する情報を情報システム支援サーバーに要求する要求手段と、上記複数の処理に対応する情報を上記情報システム支援サーバーから取得する取得手段とを有する構成としてもよい。
【００３０】
このような可搬型店舗電子盤では、起動ボタンが選択されたとき、ネットワークを介して複数の処理に対応する情報を情報システム支援サーバーに要求し、複数の処理に対応する情報を取得することにより、大容量の記憶領域や大規模なシステムを有することなく、簡単な入力操作で小売業に関する情報システムでの処理を効率的に行うことができる。
【００３１】
また、上記の課題を解決するため、本発明は、請求項１２に記載されるように、上記入出力部は、インターネットへの接続を行うインターネットボタンを有する構成としてもよい。
【００３２】
このような可搬型店舗電子盤では、入出力部がインターネットへの接続を行うインターネットボタンを有することにより、容易にインターネットへの接続を行うことができる。
【００３３】
また、上記の課題を解決するため、本発明は、請求項１３に記載されるように、上記可搬型店舗電子盤は、薄型のパームトップ型の構成としてもよい。
【００３４】
このような可搬型店舗電子盤では、薄型のパームトップ型であることにより、設置場所を取ることなく、容易に持ち運ぶことができる。
【００３５】
【発明の実施の形態】
以下、本発明の実施の形態を図面に基づいて説明する。
【００３６】
図１は、本発明の一実施例に係る可搬型店舗電子盤を用いたネット店舗システムでの処理の流れを説明するための図である。図１において、ネット店舗システム１０は、ネット店舗システムに入会した顧客が所有する顧客側端末２と、可搬型店舗電子盤３０が設置されたネット店舗システム加盟店舗３と、小売業に関する処理を支援する店舗支援サーバー４０と、食品製造業や旅行代理店などのサービス業を含むメーカー等５０とで構成されている。尚、本発明の一実施例に係る可搬型店舗電子盤３０の構成については図３〜５で詳細に説明する。
【００３７】
店舗支援サーバー４０は、所定の顧客が商品を購入した履歴を示す顧客履歴情報と、商品の購入に応じて加算されたポイント情報と、ポイント情報や、その他のサービスに応じて発行されたクーポン発行情報と、メーカー等５０から商品仕入れ情報等を管理している。先ず、店舗支援サーバー４０は、予めメーカー等５０から商品の仕入れ情報などを取得する（ステップＳ１）。次に、顧客がネット店舗システム加盟店舗３に出向き、商品を購入する場合、及び必要な情報を取得したい場合、顧客側端末２から可搬型店舗電子盤３０へ認証などの顧客情報を提供する（ステップＳ２）。可搬型店舗電子盤３０は、顧客に情報及びサービスを提供するために、店舗支援サーバー４０へ必要な情報を要求する（ステップＳ３）。店舗支援サーバー４０は、要求に応じた情報を可搬型店舗電子盤３０に提供する（ステップＳ４）。可搬型店舗電子盤３０は、提供された情報を顧客に提供すると共に、ポイントやクーポン発行などのサービスを提供する（ステップＳ５）。同時に、顧客は、ネット店舗システム加盟店舗３へ購入商品の決済を行う（ステップＳ６）。
【００３８】
また、ネット店舗システム加盟店舗３に顧客が購入希望商品の在庫がない場合、可搬型店舗電子盤３０から、店舗サーバー４０へその商品の発注要求を行う（ステップＳ３）。店舗サーバー４０は、メーカー等５０へ購入希望商品の発注を行う（ステップＳ１）。発注された商品が小型の商品の場合、ネット店舗システム加盟店舗３に納品し、大型の商品の場合、直接顧客に納品する（物流機能）（ステップＳ１０）。ネット店舗システム加盟店舗３は、売上からメーカー等５０へ決済を行う（決済機能）（ステップＳ１１）。
【００３９】
このように、ネット店舗システム加盟店舗３に設置された可搬型店舗電子盤３０を用いることにより、ネット店舗システム加盟店舗３の小売業者は、顧客に必要な情報やサービスを提供するネット店舗システムを有効に活用することができ、顧客の確保や、売上を向上させることができる。また、顧客側はそのネット店舗システム加盟店舗３で多種多様な商品を購入することができると共に、必要な情報を取得し、また、商品購入に対するサービスを受けることができる。
【００４０】
次に、店舗支援サーバー４０のシステム構成について説明する。図２は、店舗支援サーバーのシステムを示す構成図である。図２において、店舗支援サーバー４０は、顧客の購入した商品の履歴を管理する顧客履歴処理部４１と、購入商品に応じてポイントを発行及び加算するポイント管理処理部４２と、ポイント等に応じてクーポンを発行するクーポン発行処理部４３と、商品の仕入れ情報をネット店舗システム加盟店舗３に供給する商品仕入れ情報提供処理部４４と、顧客及びネット店舗システム加盟店舗３の認証を行う認証処理部４５とで構成される。
【００４１】
また、店舗支援サーバー４０は、顧客履歴処理部４１に接続され、顧客に応じて商品購入履歴情報が格納された履歴情報データーベース（以降ＤＢと呼ぶ）４００と、ポイント管理処理部４２に接続され、顧客毎にポイント集計結果が格納されたポイント情報ＤＢ４０１と、クーポン発行処理部４３に接続され、顧客毎にクーポンの発行履歴などの情報が格納されたクーポン情報ＤＢ４０２と、商品仕入れ情報提供処理部４４に接続され、メーカー等５０の在庫情報などの商品仕入れ情報が格納された商品情報ＤＢ４０３と、認証処理部４５に接続され、ネット店舗システムに加盟した店舗の認証情報が格納された店舗認証情報ＤＢ４０４と、顧客の個人情報及び認証情報などを示す顧客情報が格納された顧客情報ＤＢ４０５とで構成される。
【００４２】
店舗支援サーバー４０は、ネット店舗システム加盟店舗３に設置された可搬型店舗電子盤３０とインターネット等のネットワーク１で接続されている。店舗支援サーバー４０は、可搬型店舗電子盤３０から情報要求を受信すると、上記各処理部４１〜４５により、それらの処理部４１〜４５に接続された各ＤＢから所定の情報を取得し、その情報を可搬型店舗電子盤３０へ提供する。例えば、可搬型店舗電子盤３０からポイント情報の要求があった場合、ポイント管理処理部４２は、その要求の顧客に対応するポイント情報をポイント情報ＤＢ４０１から取得し、可搬型店舗電子盤３０に提供する。この時、顧客が商品を購入した場合、可搬型店舗電子盤３０から購入情報が提供され、顧客履歴処理部４１により購入履歴情報が履歴情報ＤＢ４００に格納される。また、ポイント管理処理部４２は、購入商品に応じたポイントを発行、加算した結果をポイント情報ＤＢ４０１に格納する。
【００４３】
このように、店舗支援サーバー４０は、可搬型店舗電子盤３０からの要求に応じた小売業に関する処理を行い、処理結果を可搬型店舗電子盤３０に提供することができる。尚、店舗支援サーバー４０は、上記構成に加え、売上を管理する処理部及びその処理で生成される売上情報を格納した売上情報ＤＢや、業務を管理する処理部及びその処理で生成される業務管理情報を格納した業務管理情報ＤＢなどを設けるようにしてもよい。
【００４４】
次に、ネット店舗システム加盟店舗３の可搬型店舗電子盤３０の構成について説明する。図３は、可搬型店舗電子盤のシステムを示す構成図である。図３において、ネット店舗システム加盟店舗３には、薄型でパームトップ型の可搬型店舗電子盤３０と、顧客側端末２から顧客情報を読み取る顧客情報読取装置３８と、可搬型店舗電子盤３０に接続されたプリンタやレジスターなどの出力ユニット３６とが設置されている。可搬型店舗電子盤３０は、店舗支援サーバー４０とネットワーク１を介して接続されている。尚、可搬型店舗電子盤３０は、無線ＬＡＮ（Ｌｏｃａｌ  Ａｒｅａ  Ｎｅｔｗｏｒｋ）を用いることも可能である。可搬型店舗電子盤３０は、この無線ＬＡＮを用いることにより、コード接続を行うことなくネットワーク１や顧客情報読取装置３８、出力ユニット３６と接続させることができるため、容易に持ち運び、他の場所へ移動させることができ、収納の邪魔にもならない。
【００４５】
可搬型店舗電子盤３０は、機能処理指定部３１０により指定された小売業に関する機能での処理を行う機能処理部３１と、簡易に入力操作が可能な簡易入力部３２０からの入力に応じて処理を行う簡易入力処理部３２と、データの表示を制御する表示制御処理部３３と、データ通信を制御する通信制御処理部３４と、データの入出力を制御する入出力制御処理部３５とで構成される。機能処理部３１は、可搬型店舗電子盤３０の機能処理指定部３１０から所定機能が選択されると、その機能に対応した処理を行う。例えば、機能処理指定部３１０からポイント機能が指定されると、機能処理部３１はそのポイント情報を店舗支援サーバー４０に要求する。可搬型店舗電子盤３０は、店舗支援サーバー４０から該当する顧客のポイント情報を取得し、機能処理部３１により提供されたポイント情報を表示ユニットに表示させる等の処理を行う。簡易入力処理部３２は、機能処理指定部３１０で指定された機能上で、簡易入力部３２０から入力操作が行われた場合、その入力操作に応じて処理を行う。例えば、機能処理指定部３１０から顧客情報を管理する機能が指定され、簡易入力部３２０から顧客情報が入力された場合、簡易入力処理部３２は入力された顧客情報を表示ユニットに表示すると共に、登録が確認されると店舗支援サーバー４０に顧客情報を提供する。
【００４６】
表示制御処理部３３は、ディスプレイ等の表示ユニットを有し、表示用データを制御して該表示ユニットに表示させる。通信制御処理部３４は、ネットワーク１を介して送受信データを制御する処理部であって、ネットワーク網に接続するための通信ユニットを有する。入出力制御処理部３５は、マウス、キーボード等の入力ユニット及びプリンタ等の出力ユニット３６を制御し、データの入出力を制御する。
【００４７】
例えば、ネット店舗システム加盟店舗３で顧客が商品を購入し、貯まったポイントを参照したい場合、先ず、店舗の小売業者は、可搬型店舗電子盤３０の機能処理指定部３１０からポイント機能を指定する。顧客側端末２から可搬型店舗電子盤３０に接続された顧客情報読取装置３８により、会員番号や氏名などの顧客情報を取得する。可搬型店舗電子盤３０は、読み取られた顧客情報に基づいて店舗支援サーバー４０へポイント情報の要求を行う。可搬型店舗電子盤３０は、店舗支援サーバー４０からポイント情報を取得し、表示ユニットにポイント情報を表示させることができる。
【００４８】
従って、可搬型店舗電子盤３０は、可搬型店舗電子盤３０内に大容量の記憶領域や大規模なシステムを有することなく、簡単な入力操作で小売業に関する多種多様な機能を処理することができる。また、可搬型店舗電子盤３０は、片手で操作可能な薄型でパームトップ型であるため、レジスターの横の隙間などの小スペースに折り畳んで収納することができる。
【００４９】
次に、可搬型店舗電子盤３０の小売業に関する複数の機能の指定を行う機能処理指定部３１０と、簡易入力操作を行う簡易入力部３２０の外観について説明する。図４は、可搬型店舗電子盤の外観の概略を示す図である。図４において、可搬型店舗電子盤３０は、小売業に関する機能を指定する機能処理指定部３１０と、簡易に入力操作が可能な簡易入力部３２０と、電源ボタンや画面調整ボタン等のボタン３１１とで構成される。機能処理指定部３１０は、各種機能での表示及び、タッチパネルの場合は入力を行う表示入力部３０１と、顧客管理機能への切替えを行う顧客管理ボタン３０２と、ポイント機能への切替えを行うポイントボタン３０３と、クーポン機能への切替えを行うクーポンボタン３０４と、仕入れ機能への切替えを行う仕入れボタン３０５と、その他の機能等を設定、変更可能な設定キーボタン３０６とで構成されている。店舗の小売業者は、機能処理指定部３１０の顧客管理ボタン３０２、ポイントボタン３０３、クーポンボタン３０４、仕入れボタン３０５のうちいずれかのボタンを押すと、そのボタンに対応する機能への切替えを行い、即ち、その機能での処理を起動させることができる。従って、店舗の小売業者は、指一本で容易にそのボタンに対応する機能での処理を行うことができる。
【００５０】
次に、複数の機能の簡易入力を行う搬型店舗電子盤３０の簡易入力部３２０の外観について説明する。図５は、搬型店舗電子盤の簡易入力部の外観を示す図である。図５において、簡易入力部３２０は、小売業で使用する単位などを切替える表記形式ボタン３２１と、小売業で使用する書類を出力する出力ボタン３２２と、表記形式を演算形式、ローマ字形式、漢字形式、カタカナ形式のそれぞれに変換する変換キーボタン３２３と、インターネットに接続する切替ボタン３２４と、ひらがなを５０音順に並べ、それらのひらがなの上に数字、アルファベット、記号などを並べてキー配列を簡略化した入力部３２５とで構成される。簡易入力部３２０は、上記構成により容易に入力操作を行うことができ、利便性を向上させることができる。尚、入力部３２５のキー配列は、上記に限定されることなく、入力操作が容易なキー配列であればよい。
【００５１】
また、表記形式ボタン３２１は、小売業で使用する単位、例えば、「円」表記と、「￥」表記を切替えることができる。例えば、「円」を表記する場合、入力部３２５のひらがな「え」と「ん」の２つのキーを押し、漢字変換キーを用いて漢字「円」に変換する。この場合、最低でも３回所定のキーを押さなくてはならず、手間が煩雑であったが、表記形式ボタン３２１の「円」キーを１回押すのみで、「円」を入力することができる。また、出力ボタン３２２は、小売業で使用する領収書、納品書、請求書等を、可搬型店舗電子盤３０に接続された出力ユニット３６から出力させることができる。尚、上記表記形式ボタン３２１を、外付けのテンキーパッドに設けるようにしてもよい。尚、上記出力ボタン３２２は、上記機能での処理において利用されるだけでなく、単独での利用も可能である。また、上記表記形式ボタン３２１、出力ボタン３２２を、入力部３２５内の数字キーの近くや、容易に入力可能な位置に設置するようにしてもよい。
【００５２】
次に、可搬型店舗電子盤３０の表示入力部３０１に表示される画面例について説明する。図６は、可搬型店舗電子盤の表示入力部に表示される画面遷移図である。図６（Ａ）〜（Ｃ）は、図４に示す顧客管理ボタン３０２を押した場合、表示入力部３０１に表示される画面遷移を示している。先ず、図６（Ａ）の顧客管理画面３００には、会員ログインするための入力域３０１と、会員登録を行う画面に遷移するための会員登録ボタン３０２とが表示される。この時、顧客がネット店舗システムの会員である場合、可搬型店舗電子盤３０は、顧客情報読取装置３８により顧客側端末２から顧客情報を取得し、その顧客情報に基づいて会員ログインを行う。例えば、ネット店舗システムの会員でない顧客が会員登録を行う場合、会員登録ボタン３０２を選択すると、図６（Ｂ）に示す会員登録画面３０３が表示される。
【００５３】
図６（Ｂ）に示す会員登録画面３０３には、顧客の個人情報を入力する入力域３０４と、入力を確認する画面に遷移するための入力完了ボタン３０５とが表示される。入力域３０４は、顧客の名前を入力する領域と、住所を入力する領域と、メールアドレスを入力する領域と、性別を選択する領域と、年齢を入力する領域と、誕生日を入力する領域とで構成される。例えば、簡易入力部３２０から入力域３０４に顧客の名前「山田太郎」等の個人情報の入力が完了し、入力完了ボタン３０５を選択すると、図６（Ｃ）に示す会員登録確認画面３０６が表示される。図６（Ｃ）に示す会員登録確認画面３０６には、入力された顧客情報を表示する表示域３０７と、入力した顧客情報を登録するための送信ボタン３０８とが表示される。例えば、表示域３０７に入力された顧客情報を確認し、送信ボタン３０８を選択すると、可搬型店舗電子盤３０の機能処理部３１は、店舗支援サーバー４０に顧客情報を送信する。
【００５４】
このように、可搬型店舗電子盤３０に設けられた所定のボタンを選択することで、そのボタンに対応した小売業に関する機能での処理を行うことができ、また、簡易入力部３２０から容易に情報を入力することができる。従って、可搬型店舗電子盤３０を用いることで情報システムを有効に活用させることができる。また、可搬型店舗電子盤３０は、薄型でパームトップ型であるため、設置場所を取ることなく、容易に持ち運ぶことができる。
【００５５】
尚、上記ネットワーク１はブロードバンドやインターネット等で構成されてもよい。
【００５６】
【発明の効果】
上述の如く本発明によれば、複数の処理過程が表示される表示画面に複数の処理のそれぞれに対応した処理を１回の押下で起動する起動ボタンと、複数の処理での入力を簡易に行う入力部と、小売業に関する情報を出力する出力ボタンとが設けられた入出力部とを有することにより、小売業に関する処理において操作手順を省いて容易に入力を行うことができ、延いては情報システムを有効に活用させることができる。
【図面の簡単な説明】
【図１】本発明の一実施例に係る可搬型店舗電子盤を用いたネット店舗システムでの処理の流れを説明するための図である。
【図２】店舗支援サーバーのシステムを示す構成図である。
【図３】可搬型店舗電子盤のシステムを示す構成図である。
【図４】可搬型店舗電子盤の外観の概略を示す図である。
【図５】可搬型店舗電子盤の簡易入力部の外観を示す図である。
【図６】可搬型店舗電子盤の表示入力部に表示される画面遷移図である。
【符号の説明】
１                  ネットワーク
２                  顧客側端末
３                  ネット店舗システム加盟店舗
１０                ネット店舗システム
３０                可搬型店舗電子盤
３１                機能処理部
３２                簡易入力処理部
３３                表示制御処理部
３４                通信制御処理部
３５                入出力制御処理部
３６                出力ユニット
３８                顧客情報読取装置
４０                店舗支援サーバー
４１                顧客履歴処理部
４２                ポイント管理処理部
４３                クーポン発行処理部
４４                商品仕入れ情報提供処理部
４５                認証処理部
５０                メーカー等
３０１              表示入力部
３０２              顧客管理ボタン
３０３              ポイントボタン
３０４              クーポンボタン
３０５              仕入れボタン
３０６              設定キーボタン
３１０              機能処理指定部
３１１              ボタン
３２０              簡易入力部
３２１              表記形式ボタン
３２２              出力ボタン
３２３              変換キーボタン
３２４              切替ボタン
３２５              入力部
４００              履歴情報ＤＢ
４０１              ポイント情報ＤＢ
４０２              クーポン情報ＤＢ
４０３              商品情報ＤＢ
４０４              店舗認証情報ＤＢ
４０５              顧客情報ＤＢ
【図１】
2004227415.tif 000003
【図２】
2004227415.tif 000004
【図３】
2004227415.tif 000005
【図４】
2004227415.tif 000006
【図５】
2004227415.tif 000007
【図６】
2004227415.tif 000008